(57)【要約】【課題】ユーザが環境の異なるエリア間を移動する場合に、ユーザの空調機の制御目標値を自動調整する。【解決手段】空調制御システム１は、建物２０内の第１エリアの空調機３０を制御する。  空調制御システム１は、複数のユーザのそれぞれのスケジュール情報を記憶し、複数のユーザのそれぞれの空調機の制御目標値を記憶し、スケジュール情報に基づいて、複数のユーザの中から所定日時に第１エリアに所在予定のユーザを含むユーザ群を特定し、ユーザ群に含まれるユーザの所定日時の前のスケジュールに基づいて、ユーザ群に含まれるユーザごとに、第１エリアとは環境が異なる第２エリアから第１エリアに移動する予定であるか否かを判定し、判定結果に応じて、ユーザ群に含まれるそれぞれのユーザの制御目標値を補正し、ユーザ群に含まれる少なくともいずれかのユーザの補正後の制御目標値に基づいて、所定日時における空調機の運転パラメータを設定する。【選択図】図１
2018165600.tif 000002
【特許請求の範囲】
【請求項１】
建物内の第１エリアの空調機を制御する空調制御システムであって、
複数のユーザのそれぞれのスケジュール情報を記憶するスケジュール情報記憶部と、
前記複数のユーザのそれぞれの前記空調機の制御目標値を記憶する制御目標値記憶部と、
前記スケジュール情報に基づいて、前記複数のユーザの中から所定日時に前記第１エリアに所在予定のユーザを含むユーザ群を特定する特定部と、
前記ユーザ群に含まれるユーザの前記所定日時の前のスケジュールに基づいて、前記ユーザ群に含まれるユーザごとに、前記第１エリアとは環境が異なる第２エリアから前記第１エリアに移動する予定であるか否かを判定する判定部と、
前記判定部による判定結果に応じて、前記ユーザ群に含まれるそれぞれのユーザの前記制御目標値を補正する補正部と、
前記ユーザ群に含まれる少なくともいずれかのユーザの前記補正部による補正後の前記制御目標値に基づいて、前記所定日時における前記空調機の運転パラメータを設定する設定部と、を備えることを特徴とする空調制御システム。
【請求項２】
前記補正部は、前記ユーザ群に含まれるユーザのうち、前記第２エリアから前記第１エリアに移動する予定のユーザについては前記制御目標値を補正し、それ以外のユーザについては前記制御目標値を補正しない、ことを特徴とする請求項１に記載の空調制御システム。
【請求項３】
前記補正部は、前記第１エリアと前記第２エリアの温度差に基づいて、前記第２エリアから前記第１エリアに移動する予定のユーザの前記制御目標値の補正量を変更する、ことを特徴とする請求項２に記載の空調制御システム。
【請求項４】
前記設定部は、前記ユーザ群に含まれるユーザの前記補正部による補正後の前記制御目標値の平均値、中央値、最頻値の少なくともいずれかに基づいて、前記所定日時における前記空調機の運転パラメータを設定する、ことを特徴とする請求項１乃至３のいずれかに記載の空調制御システム。
【請求項５】
前記ユーザ群に含まれるユーザの中から、所定条件に該当するユーザを選択する選択部をさらに備え、
前記設定部は、前記選択部により選択されたユーザの前記補正部による補正後の前記制御目標値に基づいて、前記所定日時における前記空調機の運転パラメータを設定する、ことを特徴とする請求項１乃至４のいずれかに記載の空調制御システム。
【請求項６】
前記複数のユーザのそれぞれにより過去に設定された前記空調機の運転パラメータに基づいて、前記複数のユーザのそれぞれの前記制御目標値を設定する制御目標値設定部をさらに備えることを特徴とする請求項１乃至５のいずれかに記載の空調制御システム。
【請求項７】
前記設定部は、前記ユーザ群の人数が０である場合には、前記所定日時における前記空調機の運転を停止させるか又は省力運転モードに設定する、ことを特徴とする請求項１乃至６のいずれかに記載の空調制御システム。
【請求項８】
前記設定部は、前記所定日時より所定時間前に、前記空調機について前記運転パラメータを設定して、前記空調機を動作させることを特徴とする請求項１乃至７のいずれかに記載の空調制御システム。
【請求項９】
前記第２エリアは、前記建物の外のエリアである、ことを特徴とする請求項１乃至８のいずれかに記載の空調制御システム。
【発明の詳細な説明】
【技術分野】
【０００１】
本発明は、建物内の空調機を制御する空調制御システムに関する。
【背景技術】
【０００２】
建物内の空調機に関し、利用者の入退室に応じて空調機を制御することで、空調機の消費エネルギーを低減させることが提案されている。また、利用者の嗜好に合った空調環境を提案することも望まれている。
【０００３】
例えば、上記の技術に関し、特許文献１には、個人のスケジュール情報を利用して、部屋の在室人数に応じて空調機を制御するシステムについて開示されている。
また、特許文献２には、ユーザの要望する設定に応じて、ユーザの自席周辺の空調を制御するシステムについて開示されている。
【先行技術文献】
【特許文献】
【０００４】
【特許文献１】特開２０１３−８９２０８号公報
【特許文献２】特開２００４−１６３０８８号公報
【発明の概要】
【発明が解決しようとする課題】
【０００５】
ところで、ユーザにとって快適な空調環境は、そのユーザがその前に居た場所によっても相違する。例えば、ユーザが、オフィスビル内の一室に、同じオフィスビル内から移動して来た場合と、外出先から移動して来た場合とにおいては、環境変化の大きさが異なる。このように、環境変化の大きさが異なる場合には、空調の設定を変えた方が、ユーザの快適性を向上させることがある。
【０００６】
しかしながら、従来技術では、ユーザが事前に定めた空調設定に応じて、空調を制御することに留まっている。そのため、ユーザの環境変化の大きい場所の移動を伴っているかは、ユーザの空調設定に際し何ら考慮されていない。
【０００７】
本発明は上記の課題に鑑みてなされたものであって、その目的は、ユーザが環境の異なるエリア間を移動する場合に、ユーザの空調機の制御目標値を自動調整できる空調制御システムを提供することにある。
【課題を解決するための手段】
【０００８】
前記課題は、本発明に係る空調制御システムによれば、建物内の第１エリアの空調機を制御する空調制御システムであって、複数のユーザのそれぞれのスケジュール情報を記憶するスケジュール情報記憶部と、前記複数のユーザのそれぞれの前記空調機の制御目標値を記憶する制御目標値記憶部と、前記スケジュール情報に基づいて、前記複数のユーザの中から所定日時に前記第１エリアに所在予定のユーザを含むユーザ群を特定する特定部と、前記ユーザ群に含まれるユーザの前記所定日時の前のスケジュールに基づいて、前記ユーザ群に含まれるユーザごとに、前記第１エリアとは環境が異なる第２エリアから前記第１エリアに移動する予定であるか否かを判定する判定部と、前記判定部による判定結果に応じて、前記ユーザ群に含まれるそれぞれのユーザの前記制御目標値を補正する補正部と、前記ユーザ群に含まれる少なくともいずれかのユーザの前記補正部による補正後の前記制御目標値に基づいて、前記所定日時における前記空調機の運転パラメータを設定する設定部と、を備えることにより解決される。
上記の空調制御システムによれば、環境が異なるエリア間の移動を伴うユーザについて予め設定されるユーザの空調機の制御目標値を補正できる。すなわち、ユーザが環境の異なるエリア間を移動する場合に、ユーザの空調機の制御目標値を自動調整できる。
【０００９】
また、上記の空調制御システムにおいて、前記補正部は、前記ユーザ群に含まれるユーザのうち、前記第２エリアから前記第１エリアに移動する予定のユーザについては前記制御目標値を補正し、それ以外のユーザについては前記制御目標値を補正しないと好適である。
こうすることで、移動に伴う環境の変化があるユーザに対してのみ、空調機の制御目標値を補正し、移動に伴う環境の変化がないユーザにまで空調機の制御目標値を変えることを抑制できる。これにより、ユーザの嗜好とは異なる空調環境に変更されてしまうことを抑制できる。
【００１０】
また、上記の空調制御システムにおいて、前記補正部は、前記第１エリアと前記第２エリアの温度差に基づいて、前記第２エリアから前記第１エリアに移動する予定のユーザの前記制御目標値の補正量を変更すると好適である。
こうすることで、第２エリアから第１エリアに移動してくるユーザの空調機の制御目標値の補正量に、第１エリアと第２エリアの温度差を反映できる。これにより、環境の変化の大きさを空調制御に反映させることができる。
【００１１】
また、上記の空調制御システムにおいて、前記設定部は、前記ユーザ群に含まれるユーザの前記補正部による補正後の前記制御目標値の平均値、中央値、最頻値の少なくともいずれかに基づいて、前記所定日時における前記空調機の運転パラメータを設定すると好適である。
こうすることで、第１エリアを同時に利用するユーザの多数にとって好適な空調環境に調整できる。
【００１２】
また、上記の空調制御システムにおいて、前記ユーザ群に含まれるユーザの中から、所定条件に該当するユーザを選択する選択部をさらに備え、前記設定部は、前記選択部により選択されたユーザの前記補正部による補正後の前記制御目標値に基づいて、前記所定日時における前記空調機の運転パラメータを設定すると好適である。
こうすることで、第１エリアを同時に利用するユーザの中から選択されたユーザにとって好適な空調環境に調整できる。
【００１３】
また、上記の空調制御システムにおいて、ユーザにより過去に設定された前記空調機の運転パラメータに基づいて、前記ユーザの前記制御目標値を設定する制御目標値設定部をさらに備えると好適である。
こうすることで、ユーザにより過去に設定された空調機の運転パラメータを利用して、そのユーザにとって好適な空調機の制御目標値を設定できる。
【００１４】
また、上記の空調制御システムにおいて、前記設定部は、前記ユーザ群の人数が０である場合には、前記所定日時における前記空調機の運転を停止させるか又は省力運転モードに設定すると好適である。
こうすることで、空調機の無駄な運転を抑制し、電力消費量を低減できる。
【００１５】
また、上記の空調制御システムにおいて、前記設定部は、前記所定日時より所定時間前に、前記空調機について前記運転パラメータを設定して、前記空調機を動作させると好適である。
こうすることで、第１エリアの利用者に利用当初から好適な空調環境を提供できる。
【００１６】
また、上記の空調制御システムにおいて、前記第２エリアは、前記建物の外のエリアであると好適である。
こうすることで、建物外から建物内に移動するユーザの空調設定を、環境の変化に応じて調整できる。
【発明の効果】
【００１７】
本発明に係る空調制御システムによれば、ユーザが環境の異なるエリア間を移動する場合に、ユーザの空調機の制御目標値を自動調整できる。
【図面の簡単な説明】
【００１８】
【図１】空調制御システムを含む建物システムの全体構成を示す図である。
【図２】ユーザ情報テーブルの一例を示す図である。
【図３】スケジュール情報テーブルの一例を示す図である。
【図４】エリア空調機対応テーブルの一例を示す図である。
【図５】ユーザ設定履歴テーブルの一例を示す図である。
【図６】ユーザ制御目標値記憶テーブルの一例を示す図である。
【図７】空調制御システムのハードウェア構成を示す図である。
【図８】空調制御システムの機能構成を示す図である。
【図９】空調機の運転パラメータの設定処理のフロー図である。
【図１０】空調機の運転パラメータの設定処理のフロー図である。
【発明を実施するための形態】
【００１９】
以下、図１乃至図１０に基づき、本発明の一実施形態（以下、本実施形態）に係る空調制御システム１について説明する。なお、以下に説明する実施形態は、本発明の理解を容易にするためのものであり、本発明を限定するものではない。すなわち、本発明は、その趣旨を逸脱することなく、変更、改良され得ると共に、本発明にはその等価物が含まれることは勿論である。
【００２０】
［建物システムＳの全体構成］
図１には、本実施形態に係る空調制御システム１を含む建物システムＳの全体構成を示した。
図１に示されるように、建物システムＳは、空調制御システム１と建物２０を備える。
空調制御システム１は、ユーザデータベース２、スケジュールデータベース３、空調機データベース４を備え、建物２０に備えられる空調機３０（空調機３０Ａ、空調機３０Ｂ、空調機３０Ｃ、空調機３０Ｄ等）を制御するコンピュータシステムである。
なお、以下において、建物２０に備えられる空調機３０Ａ、空調機３０Ｂ、空調機３０Ｃ、空調機３０Ｄに共通する事項については空調機３０と表記して説明する。
【００２１】
建物２０は、第１ワークスペース２２、会議室２３、第２ワークスペース２４、第３ワークスペース２５を有するオフィスビルである。なお、建物２０には、エントランス２１を通じて外部との出入りが可能となっている。
【００２２】
第１ワークスペース２２は、従業員の作業エリアであり、空調機３０Ａにより内部の空調が制御される。
会議室２３は、会議スペースであり、空調機３０Ｂにより内部の空調が制御される。
第２ワークスペース２４は、従業員の作業エリアであり、空調機３０Ｃにより内部の空調が制御される。
第３ワークスペース２５は、従業員の作業エリアであり、空調機３０Ｄにより内部の空調が制御される。
なお、上記の第１ワークスペース２２や会議室２３のように、部屋ごとに担当する空調機３０を分けてもよいし、上記の第２ワークスペース２４及び第３ワークスペース２５のように一部屋を複数のエリアに分けて、エリアごとに担当する空調機３０を分けてもよい。
【００２３】
第１ワークスペース２２、第２ワークスペース２４、第３ワークスペース２５において、各ユーザは、自席のユーザ端末４０により空調制御システム１にアクセスし、各ユーザが所望する空調機３０の設定温度等の制御目標値を設定することとしてよい。
また、第１ワークスペース２２、会議室２３、第２ワークスペース２４、第３ワークスペース２５のそれぞれのドア２２Ａ、ドア２３Ａ、ドア２４Ａ、ドア２５Ａに従業員のＩＣカードを読み取るＩＣカードリーダを設け、ＩＣカードリーダにより読み取った入室者の情報に基づいて入室を制御するようにしてもよい。
【００２４】
空調制御システム１は、ユーザデータベース２、スケジュールデータベース３、空調機データベース４を記憶する。
【００２５】
ユーザデータベース２は、従業員等のユーザの属性情報を格納するデータベースである。例えば、ユーザデータベース２には、図２に示すユーザ情報テーブル５０が記憶される。
【００２６】
ユーザ情報テーブル５０は、ユーザの各種の属性情報を記憶するテーブルである。
具体的には、図２に示されるように、ユーザ情報テーブル５０には、ユーザの識別情報（ユーザＩＤ）、ユーザの氏名、ユーザの年齢、ユーザの役職、優先者フラグ、性別、ユーザの自席位置、自席のあるエリアの識別情報（エリアＩＤ）が関連付けて記憶される。
なお、上記の「優先者フラグ」は、空調の設定を他のユーザに比べて優先するか否かを指定する情報である。例えば、「優先者フラグ」は、ユーザが顧客である場合、ユーザが所定以上の役職である場合、ユーザが高齢者である場合、ユーザが身体障害者である場合、ユーザが体調不良である場合等に優先（Ｔ）に設定されることとしてよい。
【００２７】
スケジュールデータベース３は、ユーザのスケジュール情報を格納するデータベースである。例えば、スケジュールデータベース３には、図３に示すスケジュール情報テーブル５１が記憶される。
【００２８】
スケジュール情報テーブル５１は、ユーザごとのスケジュール情報を記憶するテーブルである。
具体的には、図３に示されるように、スケジュール情報テーブル５１には、ユーザＩＤ、日付、時間帯ごとのスケジュール（行動予定）の情報が関連付けて記憶される。
例えば、スケジュールにおいて、「外出」は建物２０の外に出る予定を示し、「自席」はユーザに設定される自席での作業予定を示し、「ミーティング」は建物２０内の所定エリア（例えば会議室）での会議予定を示す。このように、スケジュールには、各ユーザが各時間帯にいる場所を特定する情報が含まれることとしてよい。
なお、スケジュール情報テーブル５１の記憶内容は、ユーザが操作するユーザ端末４０から受け付ける情報に基づいて設定されることとしてよい。
【００２９】
空調機データベース４は、建物２０内の空調機３０に関する情報を格納するデータベースである。例えば、空調機データベース４には、図４に示すエリア空調機対応テーブル５２、図５に示すユーザ設定履歴テーブル５３、及び図６に示すユーザ制御目標値記憶テーブル５４が記憶される。
【００３０】
エリア空調機対応テーブル５２は、建物２０内の各エリアに対応する空調機３０の情報を管理するテーブルである。
具体的には、図４に示されるように、エリア空調機対応テーブル５２には、建物２０内のエリアを識別するエリアＩＤ、エリア名、エリアの空調機を識別する空調機ＩＤが関連付けて記憶される。
【００３１】
ユーザ設定履歴テーブル５３は、ユーザごとの空調機３０の設定履歴を記憶するテーブルである。
具体的には、図５に示されるように、ユーザ設定履歴テーブル５３には、ユーザＩＤ、空調機ＩＤ、運転パラメータ、設定日時が関連付けて記憶される。
ここで、上記の「運転パラメータ」とは、空調機３０の設定情報であり、例えば運転モード（暖房／冷房／送風／除湿等）、設定温度、風量等の値を含む。
なお、本実施形態では、空調制御システム１は、ユーザの操作するユーザ端末４０から、空調機３０の運転パラメータの指定を受け付けた場合には、受け付けた運転パラメータに基づいて空調機３０を制御する。
そして、ユーザ設定履歴テーブル５３には、ユーザが操作するユーザ端末４０から受け付ける情報が記録される。
【００３２】
ユーザ制御目標値記憶テーブル５４は、ユーザごとの空調機３０の制御目標値（例えば設定温度等）を記憶するテーブルである。
具体的には、図６に示されるように、ユーザ制御目標値記憶テーブル５４には、ユーザＩＤ、月ごとの空調機３０の設定温度が関連付けて記憶される。
例えば、ユーザ設定履歴テーブル５３におけるユーザＩＤと月ごとの空調機３０の設定温度を集計し、その平均値、最頻値、中央値等を、ユーザのその月の設定温度として、ユーザ制御目標値記憶テーブル５４に記憶するようにしてよい。
【００３３】
［空調制御システム１による処理の概要］
ここで、本実施形態において、空調制御システム１により実行される処理の概要について説明する。以下においては、空調制御システム１により、会議室２３の空調機３０Ｂの運転パラメータを設定する例について説明する。
【００３４】
まず、空調制御システム１は、スケジュール情報テーブル５１を参照して、会議室２３の次のスケジュール（第１スケジュール）を参照し、第１スケジュールの日時に会議室２３に集まる予定のユーザ（集合ユーザ）を特定する。
なお、図１に示されるユーザＵＡとユーザＵＢは、上記の集合ユーザに含まれることとする。
【００３５】
次に、空調制御システム１は、上記の集合ユーザのそれぞれの対象スケジュールの直前のスケジュール（第２スケジュール）を参照し、建物２０の外から会議室２３に移動するユーザ（移動ユーザ）を特定する。
例えば、ユーザＵＡについては建物２０の外から会議室２３に移動するため、上記の移動ユーザに該当する。
一方で、ユーザＵＢについては建物２０の内の移動であるため、上記の移動ユーザには該当しない。
【００３６】
そして、空調制御システム１は、上記の移動ユーザ（ユーザＵＡ）について、ユーザ制御目標値記憶テーブル５４に記憶される空調機３０の制御目標値Ａ０を、建物２０の内外の温度差ΔＴに基づいて補正した補正値Ａ１を算出する。
例えば、空調制御システム１は、αを係数として、以下の式（１）により補正値Ａ１を算出する。
Ａ１＝Ａ０＋α・ΔＴ      ・・・（１）
【００３７】
そして、空調制御システム１は、集合ユーザのそれぞれの補正後の制御目標値（移動ユーザ以外のユーザ（例えばユーザＵＢ）についてはユーザ制御目標値記憶テーブル５４に記憶される制御目標値）に基づいて、会議室２３の空調機３０Ｂの運転パラメータを設定する。例えば、上記の運転パラメータは、集合ユーザから選択されたユーザ（全員又は一部としてよい）の補正後の制御目標値の平均値（又は最頻値、中央値でもよい）に基づき設定される。
そして、空調制御システム１は、第１スケジュールの開始の所定時間前（例えば５分前）に、上記の運転パラメータを、会議室２３の空調機３０Ｂに設定して、設定した運転パラメータに基づいて空調機３０Ｂを動作させる。
こうすることで、空調制御システム１では、建物２０の内外の移動を伴うユーザに対しては建物２０の内外の温度差に応じて、ユーザの空調の嗜好値を自動調整できる。
そして、空調制御システム１では、自動調整した空調の嗜好値に基づいてユーザの所在予定のエリアの空調環境を、予定の開始前に構築できる。
【００３８】
以下、上記の処理を実現するために、空調制御システム１に備えられる構成について説明する。
【００３９】
［空調制御システム１のハードウェア構成］
図７には、空調制御システム１のハードウェア構成を示した。図７に示されるように、空調制御システム１は、プロセッサ５、記憶装置６及び通信用インターフェース７を備える。
【００４０】
プロセッサ５は、プログラムに記述された命令セットを実行するためのハードウェアである。そして、プロセッサ５は、記憶装置６に記憶されるプログラムやデータに基づいて各種の演算処理を実行するとともに、空調制御システム１の各部を制御する。
【００４１】
記憶装置６は、例えばメモリ、磁気ディスク装置を含み構成され、各種のプログラムやデータを記憶するほか、プロセッサ５のワークメモリとしても機能する。なお、記憶装置６には、フラッシュメモリ、光学ディスク等の情報記憶媒体が含まれていてもよい。
【００４２】
通信用インターフェース７は、例えばネットワークインターフェースカードを含み構成され、イントラネット等の通信網を経由して、空調機３０、ユーザ端末４０等と通信する。
【００４３】
［空調制御システム１に備えられる機能の説明］
次に、図８を参照しながら、空調制御システム１に備えられる機能について説明する。
なお、空調制御システム１は、建物２０内の第１エリアの空調機３０を制御するシステムである。
ここで、上記の「第１エリア」とは、建物２０内の任意の場所であってよい。例えば、建物２０の第１ワークスペース２２、会議室２３、第２ワークスペース２４、第３ワークスペース２５がそれぞれ上記の「第１エリア」の一例に相当する。
【００４４】
図８に示されるように、空調制御システム１は、機能として、スケジュール情報記憶部１０、制御目標値記憶部１１、制御目標値設定部１２、特定部１３、判定部１４、補正部１５、選択部１６、設定部１７を備える。
【００４５】
なお、空調制御システム１に備えられる機能は、空調制御システム１のプロセッサ５が、記憶装置６に記憶されるプログラム及びデータに基づいて、空調制御システム１の各部を制御することにより実現されるものである。なお、空調制御システム１は、上記のプログラムを、コンピュータ読み取り可能な情報記憶媒体から読み込むこととしてもよいし、インターネットやイントラネット等の通信網を介して受信してもよい。
以下、空調制御システム１の各部の機能の詳細について説明する。
【００４６】
［スケジュール情報記憶部１０の機能］
スケジュール情報記憶部１０は、複数のユーザのそれぞれのスケジュール情報を記憶する機能である。
スケジュール情報記憶部１０は、主に空調制御システム１の記憶装置６により実現される。
具体的には、スケジュール情報記憶部１０には、図２に示すユーザ情報テーブル５０が記憶される。なお、ユーザ情報テーブル５０に記憶される情報については上述した通りであるため、ここでの説明は省略する。
【００４７】
［制御目標値記憶部１１の機能］
制御目標値記憶部１１は、複数のユーザのそれぞれの空調機３０の制御目標値（例えば設定温度等）を記憶する機能である。
制御目標値記憶部１１は、主に空調制御システム１の記憶装置６により実現される。
具体的には、制御目標値記憶部１１には、図６に示すユーザ制御目標値記憶テーブル５４が記憶される。なお、ユーザ制御目標値記憶テーブル５４に記憶される情報については上述した通りであるため、ここでの説明は省略する。
【００４８】
［制御目標値設定部１２の機能］
制御目標値設定部１２は、複数のユーザのそれぞれにより過去に設定された空調機３０の運転パラメータに基づいて、複数のユーザのそれぞれの空調機３０の制御目標値（例えば設定温度等）を設定する機能である。
【００４９】
制御目標値設定部１２は、主に空調制御システム１のプロセッサ５及び記憶装置６により以下のように実現される。
具体的には、空調制御システム１のプロセッサ５は、記憶装置６に記憶されるユーザ設定履歴テーブル５３の中から、ユーザＩＤが共通するレコードを抽出する。そして、プロセッサ５は、上記抽出したレコードの設定日時に基づいて、上記抽出したレコードを月ごとに分類する。そして、プロセッサ５は、上記月ごとのレコードに記憶される設定温度の平均値（又は中央値や最頻値）を、上記ユーザＩＤの制御目標値として、記憶装置６のユーザ制御目標値記憶テーブル５４に記憶する。
【００５０】
なお、各ユーザの空調機３０の制御目標値の設定処理は上記の例に限定されない。例えば、空調制御システム１のプロセッサ５は、通信用インターフェース７を介して、ユーザ端末４０から受け付けたユーザＩＤと空調機３０の制御目標値を、ユーザ制御目標値記憶テーブル５４に記憶するようにしてもよい。
このように、ユーザが自ら空調機３０の制御目標値を設定可能としてよい。
【００５１】
［特定部１３の機能］
特定部１３は、スケジュール情報記憶部１０に記憶されるスケジュール情報に基づいて、複数のユーザの中から所定日時に第１エリアに所在予定のユーザを含むユーザ群を特定する機能である。
なお、上記の「所定日時」とは、現在日時よりも未来の日時である。例えば、上記の「所定日時」は、第１エリアにおける、現在日時より後に開始する最先のスケジュールの開始日時としてよい。
【００５２】
特定部１３は、主に空調制御システム１のプロセッサ５及び記憶装置６により以下のように実現される。
具体的には、空調制御システム１のプロセッサ５は、スケジュール情報テーブル５１から、第１エリア（例えば会議室２３）のエリアＩＤに関連付けられる所定日時のスケジュール（第１スケジュール）を特定する。そして、プロセッサ５は、スケジュール情報テーブル５１から、上記特定した対象スケジュールに参加する参加ユーザ（ユーザ群に相当）のそれぞれのユーザＩＤを特定する。
【００５３】
［判定部１４の機能］
判定部１４は、特定部１３により特定されるユーザ群に含まれる各ユーザの所定日時の前のスケジュールに基づいて、当該ユーザ群に含まれるユーザごとに、第１エリアとは環境が異なる第２エリアから第１エリアに移動する予定であるか否かを判定する機能である。
例えば、上記の第２エリアは、建物２０の外のエリアとしてよい。また例えば、上記の第２エリアは、建物２０の内部であって、第１エリアとは温度、湿度等の空調環境が異なるエリアとしてもよい。
【００５４】
判定部１４は、主に空調制御システム１のプロセッサ５及び記憶装置６により以下のように実現される。
具体的には、空調制御システム１のプロセッサ５は、特定部１３により特定されたユーザ群のそれぞれのユーザＩＤについて、スケジュール情報テーブル５１を参照し、所定日時の前のスケジュール（第２スケジュール）を特定する。そして、プロセッサ５は、上記特定した第２スケジュールにおけるユーザの場所が第２エリアであるか否かを判定する。
【００５５】
本実施形態では、第２エリアは建物２０の外であることとし、プロセッサ５は、ユーザの第２スケジュールが「外出」であるか否かを判定する。そして、プロセッサ５は、ユーザの第２スケジュールが「外出」である場合には、そのユーザを移動ユーザと判定する。
【００５６】
［補正部１５の機能］
補正部１５は、判定部１４による判定結果に応じて、特定部１３により特定したユーザ群に含まれるそれぞれのユーザの制御目標値を補正する機能である。
例えば、補正部１５は、特定部１３により特定したユーザ群に含まれるユーザのうち、第２エリアから第１エリアに移動する予定のユーザについては制御目標値を補正し、それ以外のユーザについては制御目標値を補正しないこととしてよい。
また、補正部１５は、第１エリアと第２エリアの温度差に基づいて、第２エリアから第１エリアに移動する予定のユーザの制御目標値の補正量を変更することとしてもよい。
【００５７】
補正部１５は、主に空調制御システム１のプロセッサ５及び記憶装置６により以下のように実現される。
具体的には、空調制御システム１のプロセッサ５は、特定部１３により特定されたユーザ群のユーザのうち、判定部１４により第２エリアから第１エリアに移動する予定と判定されたユーザのユーザＩＤを特定する。
そして、プロセッサ５は、上記特定したユーザＩＤに関連付けて、ユーザ制御目標値記憶テーブル５４に記憶される制御目標値を読み出す。例えば、プロセッサ５は、ユーザＩＤと、現在日時に基づいて、ユーザ制御目標値記憶テーブル５４から対応する制御目標値を読み出すこととしてよい。
【００５８】
次に、プロセッサ５は、一のユーザＩＤについて上記読み出した制御目標値Ａ０の補正値Ａ１を、αを係数、ΔＴを建物２０内と外の温度差（建物２０内の温度Ｔ１、建物２０外の温度Ｔ２とした場合にΔＴ＝Ｔ１−Ｔ２）として、例えば以下の式（１）により算出する。
Ａ１＝Ａ０＋α・ΔＴ      ・・・（１）
【００５９】
上記の式（１）において、αに正の値を設定すると、建物２０の内外の温度差が大きい程、ユーザの制御目標値（設定温度）には当初の設定よりも高い値が設定されることとなる。
すなわち、空調機３０の運転モードが暖房である時期においては、建物２０の外の気温の方が冷たい程、ユーザの設定温度が当初の設定よりも高くなるように補正される。
また、空調機３０の運転モードが冷房である場合には、建物２０の外の気温の方が暑い程、ユーザの設定温度が当初の設定よりも低くなるように補正される。
こうすることで、建物２０の内外の温度差に応じて、より空調機３０を効かせるようにユーザの空調設定を自動調整することができる。
【００６０】
また、上記の式（１）において、αに負の値を設定すると、建物２０の内外の温度差が大きい程、ユーザの制御目標値（設定温度）には当初の設定よりも低い値が設定されることとなる。
すなわち、空調機３０の運転モードが暖房である時期においては、建物２０の外の気温の方が冷たい程、ユーザの設定温度が当初の設定よりも低くなるように補正される。
また、空調機３０の運転モードが冷房である場合には、建物２０の外の気温の方が暑い程、ユーザの設定温度が当初の設定よりも高くなるように補正される。
こうすることで、建物２０の外から中に入ってきた際に、ユーザが急激な温度差を感じないように、ユーザの空調設定を自動調整することができる。
【００６１】
また、ユーザの制御目標値の補正は上記式（１）に示す例に限られるものではなく、例えば、Ｃを定数として以下の式（２）により補正値を算出してもよい。なお、Ｃは運転モードに応じて変えてもよい。
Ａ１＝Ａ０＋Ｃ      ・・・（２）
【００６２】
［選択部１６の機能］
選択部１６は、特定部１３により特定されるユーザ群に含まれるユーザの中から、所定条件に該当するユーザを選択する機能である。
上記の「所定条件に該当するユーザ」とは、例えばユーザ情報テーブル５０において「優先者フラグ」が優先（Ｔ）であるユーザとしてよい。
また例えば、「所定条件に該当するユーザ」とは、例えばユーザ情報テーブル５０において「役職」が所定の役職以上のユーザとしてよい。
また例えば、「所定条件に該当するユーザ」とは、例えば体調不良のユーザとしてよい。例えば、建物２０のエントランス２１に熱センサを設け、熱センサにより所定以上の体温が検出されたユーザを上記の体調不良のユーザとしてもよい。
また例えば、「所定条件に該当するユーザ」とは、判定部１４により第２エリアから第１エリアに移動する予定と判定されたユーザとしてもよい。
また例えば、「所定条件に該当するユーザ」とは、例えば上記特定されるユーザ群のうちから、予め指定されたユーザとしてよい。
また例えば、「所定条件に該当するユーザ」とは、例えば上記特定されるユーザ群の全てのユーザとしてよい。
【００６３】
選択部１６は、主に空調制御システム１のプロセッサ５及び記憶装置６により実現される。
具体的には、空調制御システム１のプロセッサ５は、特定部１３により特定されるユーザ群に含まれるユーザのそれぞれについて、所定条件に合致するか否かを判定し、所定条件に合致するユーザのユーザＩＤを選択する。
【００６４】
［設定部１７の機能］
設定部１７は、特定部１３により特定されるユーザ群に含まれる少なくともいずれかのユーザの補正部１５による補正後の制御目標値に基づいて、所定日時における第１エリアの空調機３０の運転パラメータを設定する機能である。
【００６５】
例えば、設定部１７は、特定部１３により特定されるユーザ群に含まれるユーザの補正部１５による補正後の制御目標値の平均値、中央値、最頻値の少なくともいずれかに基づいて、所定日時における第１エリアの空調機３０の運転パラメータを設定することとしてよい。
【００６６】
また例えば、設定部１７は、選択部１６により選択されたユーザの補正部１５による補正後の制御目標値に基づいて、所定日時における第１エリアの空調機３０の運転パラメータを設定することとしてよい。
【００６７】
また例えば、設定部１７は、特定部１３により特定されるユーザ群の人数が０である場合には、所定日時における第１エリアの空調機３０の運転を停止させるか又は省力運転モードに設定することとしてよい。
【００６８】
また例えば、設定部１７は、所定日時より所定時間前に、第１エリアの空調機３０について運転パラメータを設定して、第１エリアの空調機３０を動作させることとしてよい。
【００６９】
設定部１７は、主に空調制御システム１のプロセッサ５、記憶装置６及び通信用インターフェース７により以下のように実現される。
具体的には、空調制御システム１のプロセッサ５は、選択部１６により選択されたユーザのユーザＩＤについて、補正部１５による補正後の制御目標値（例えば設定温度等）を取得する。なお、補正部１５による補正がされていない場合には、ユーザ制御目標値記憶テーブル５４に記憶される制御目標値をそのまま取得する。
【００７０】
次に、プロセッサ５は、選択部１６により選択された各ユーザＩＤについて、上記取得した制御目標値の平均値、中央値、又は最頻値を求め、求めた値により運転パラメータを設定する。
また、制御目標値に、設定温度、風量、湿度等の複数のデータを含む場合には、その各々について平均値、中央値、又は最頻値のいずれを用いるかを任意に設定してもよい。
【００７１】
また、プロセッサ５は、特定部１３により特定したユーザ群の人数が０、すなわち所定日時における第１エリアにユーザが所在しない場合には、所定日時における第１エリアの空調機３０の運転パラメータを停止モード又は省力運転モードに対応する値とする。
【００７２】
そして、プロセッサ５は、所定日時よりも所定時間前（例えば５分前）になると、通信用インターフェース７を介して、上記得られた運転パラメータを、第１エリアの空調機３０に送信し、第１エリアの空調機３０に上記運転パラメータによる運転を開始させるようにしてよい。
【００７３】
［空調制御システム１において実行される処理の説明］
次に、図９及び図１０に示すフロー図に基づいて、空調制御システム１おいて実行される空調機３０の運転パラメータの設定処理について説明する。
以下に説明する処理は、建物２０の第１エリア（例えば第１ワークスペース２２、会議室２３、第２ワークスペース２４、第３ワークスペース２５）について、所定時間おき（例えば１５分おき）に実行することとしてよい。
【００７４】
図９に示されるように、空調制御システム１のプロセッサ５は、スケジュール情報テーブル５１を参照して、第１エリアの次のスケジュール（第１スケジュール）を参照する（Ｓ１０１）。なお、次のスケジュールとは、現在日時から所定時間後のスケジュールとしてよい。
【００７５】
ここで、プロセッサ５は、スケジュール情報テーブル５１に基づき、第１スケジュールにおける第１エリアの所在人数が０人と判定する場合には（Ｓ１０２：Ｙｅｓ）、第１スケジュールにおける第１エリアの空調機３０の設定を省エネ運転モードとする（Ｓ１０３）。
【００７６】
一方で、プロセッサ５は、スケジュール情報テーブル５１に基づき、第１スケジュールにおける第１エリアの所在人数が０人でない（すなわち１人以上）と判定する場合には（Ｓ１０２：Ｎｏ）、第１スケジュールにおける第１エリアの空調機３０の運転パラメータの設定処理を実行する（Ｓ１０４）。
【００７７】
ここで、Ｓ１０４の処理については図１０に基づいて説明する。
図１０に示されるように、空調制御システム１のプロセッサ５は、スケジュール情報テーブル５１に基づき、第１スケジュールにおける第１エリアの所在ユーザ（Ｕ１〜ＵＮ）を特定する（Ｓ１１１）。なお、Ｓ１１１の処理は、特定部１３の機能により実行されるものであり、上記のＮは特定部１３により特定された人数を示す。
【００７８】
次に、空調制御システム１のプロセッサ５は、第１エリア（例えば建物２０内）の温度Ｔ１と、第２エリア（例えば建物２０外）の温度Ｔ２を取得する（Ｓ１１２）。例えば、プロセッサ５は、通信用インターフェース７を介して第１エリアの空調機３０から上記の温度Ｔ１を取得することとしてよい。また、記憶装置６は、通信用インターフェース７を介して、建物２０外の温度センサ、又は外部の天気情報サイトから上記の温度Ｔ２を取得することとしてよい。
【００７９】
次に、空調制御システム１のプロセッサ５は、変数ｉを１に初期化する（Ｓ１１３）。
そして、空調制御システム１のプロセッサ５は、スケジュール情報テーブル５１から、ユーザＵｉの第１スケジュールの前の第２スケジュールを参照し（Ｓ１１４）、ユーザＵｉが第２エリア（例えば建物２０の外）から第１エリア（例えば建物２０の内）に移動するか否かを判定する（Ｓ１１５）。
なお、Ｓ１１５の処理は、判定部１４の機能により実行されるものである。
【００８０】
ユーザＵｉが第２エリアから第１エリアに移動する場合には（Ｓ１１５：Ｙｅｓ）、プロセッサ５は、ユーザＵｉのユーザＩＤに関連付けてユーザ制御目標値記憶テーブル５４に記憶される制御目標値Ａｉを読み出す（Ｓ１１６）。
そして、プロセッサ５は、上記読み出した制御目標値Ａｉを、建物２０の内外の温度差ΔＴ（ΔＴ＝Ｔ１−Ｔ２）に基づいて補正する（Ｓ１１７）。
なお、Ｓ１１７の処理は補正部１５の機能により実行されるものである。
【００８１】
次に、変数ｉがＮに達していない場合には（Ｓ１１８：Ｎｏ）、プロセッサ５は、変数ｉに１を加算して（Ｓ１１９）、Ｓ１１４に戻る。
一方で、変数ｉがＮに達している場合には（Ｓ１１８：Ｙｅｓ）、プロセッサ５は、Ｓ１１１で特定された所在ユーザ（Ｕ１〜ＵＮ）の中から所定条件に合致するユーザ（設定対象者）を選択する（Ｓ１２０）。なお、Ｓ１２０の処理は選択部１６の機能により実行されるものである。
【００８２】
次に、プロセッサ５は、Ｓ１２０で選択された設定対象者の補正後の制御目標値の平均値（中央値、又は最頻値としてもよい）を算出する（Ｓ１２１）。
そして、プロセッサ５は、Ｓ１２１で算出した平均値に基づいて、第１スケジュールにおける第１エリアの空調機３０の運転パラメータを設定し（Ｓ１２２）、図９のフローに戻る。
【００８３】
Ｓ１０３又はＳ１０４の処理を終えると、プロセッサ５は、第１スケジュールの開始時点から所定時間前になっていない場合には（Ｓ１０５：Ｎｏ）、待機し、第１スケジュールの開始時点から所定時間前になった場合には（Ｓ１０５：Ｙｅｓ）、Ｓ１０３又はＳ１０４により設定された運転パラメータを、通信用インターフェース７を介して第１エリアの空調機３０に送信する（Ｓ１０６）。
これにより、第１エリアの第１スケジュールの開始前から、Ｓ１０３又はＳ１０４で設定した運転パラメータによる空調機３０の運転を開始させることができる。
【００８４】
［空調制御システム１の効果］
以上説明した本実施形態に係る空調制御システム１によれば、ユーザが環境の相違するエリア間を移動する場合に、そのユーザが嗜好する空調機３０の制御目標値（例えば設定温度）を、環境の変化に応じて調整できる。
【００８５】
また、空調制御システム１では、環境の変化があるユーザに対してのみ、空調機３０の制御目標値を補正し、環境の変化がないユーザにまで空調機３０の制御目標値を変えることを抑制できる。これにより、ユーザの嗜好とは異なる空調環境に調整されてしまうことを抑制できる。
【００８６】
また、空調制御システム１では、第２エリアから第１エリアに移動してくるユーザの空調機３０の制御目標値の補正量に、第１エリアと第２エリアの温度差を反映できる。これにより、環境の変化の大きさを空調制御に反映させることができる。
【００８７】
また、空調制御システム１では、第１エリアを利用する複数のユーザの制御目標値の平均値、中央値、最頻値の少なくともいずれかに基づいて、空調機３０の運転パラメータを設定することで、第１エリアを同時に利用する複数のユーザの多数にとって好適な空調環境を構築できる。
【００８８】
また、空調制御システム１では、第１エリアを同時に利用するユーザの中から選択されたユーザにとって好適な空調環境を構築できる。
【００８９】
また、空調制御システム１では、ユーザにより過去に設定された空調機の運転パラメータを利用して、そのユーザが嗜好する空調機３０の制御目標値を自動設定できる。
これにより、ユーザが空調機３０の制御目標値を入力する労力を削減できる。
【００９０】
また、空調制御システム１では、所定日時において第１エリアを利用する人数が０である場合には、所定日時における第１エリアの空調機３０の運転を停止させるか又は省力運転モードに設定することで、空調機３０の無駄な運転を抑制し、電力消費量を低減できる。
【００９１】
また、空調制御システム１では、所定日時より所定時間前に、第１エリアの空調機３０について設定した運転パラメータに基づいて、空調機３０を動作させることで、第１エリアの空調環境を、所定日時の開始時点から、第１エリアの利用者に適した状態とすることができる。これにより、第１エリアの利用者に利用当初から好適な空調環境を提供できる。
【００９２】
また、空調制御システム１では、建物２０の外から建物２０の中に移動するユーザの空調設定を、建物２０の内外の環境の変化に応じて調整できる。
【００９３】
［その他の実施形態］
本発明は上記の実施形態に限定されるものではない。
例えば、空調制御システム１は、一台のコンピュータではなく、複数台のコンピュータの分散システムとして構築されてもよい。この場合には、空調制御システム１に備えられる各機能は、複数台のコンピュータに分散されて保持されてもよい。
【００９４】
空調制御システム１による移動エリアの環境の相違による空調機３０の制御目標値の補正機能は、ユーザごとにＯＮ／ＯＦＦを切り替え可能としてもよい。
【００９５】
また、空調制御システム１は、エリアの所在人数に応じて、空調機３０の風量を設定してもよい。例えば、空調制御システム１は、エリアの所在人数が多い程、そのエリアの空調機３０の風量が強くなるように設定してもよい。
【符号の説明】
【００９６】
Ｓ  建物システム
ＵＡ  ユーザ
ＵＢ  ユーザ
１  空調制御システム
２  ユーザデータベース
３  スケジュールデータベース
４  空調機データベース
５  プロセッサ
６  記憶装置
７  通信用インターフェース
１０  スケジュール情報記憶部
１１  制御目標値記憶部
１２  制御目標値設定部
１３  特定部
１４  判定部
１５  補正部
１６  選択部
１７  設定部
２０  建物
２１  エントランス
２２  第１ワークスペース
２２Ａ  ドア
２３  会議室
２３Ａ  ドア
２４  第２ワークスペース
２４Ａ  ドア
２５  第３ワークスペース
２５Ａ  ドア
３０  空調機
３０Ａ  空調機
３０Ｂ  空調機
３０Ｃ  空調機
３０Ｄ  空調機
４０  ユーザ端末
５０  ユーザ情報テーブル
５１  スケジュール情報テーブル
５２  エリア空調機対応テーブル
５３  ユーザ設定履歴テーブル
５４  ユーザ制御目標値記憶テーブル
【図１】
2018165600.tif 000003
【図２】
2018165600.tif 000004
【図３】
2018165600.tif 000005
【図４】
2018165600.tif 000006
【図５】
2018165600.tif 000007
【図６】
2018165600.tif 000008
【図７】
2018165600.tif 000009
【図８】
2018165600.tif 000010
【図９】
2018165600.tif 000011
【図１０】
2018165600.tif 000012